(57)【要約】【課題】ファクシミリ受信データを印刷出力するときに記録ヘッドの状態が正常でなければ、不良な出力が行われ、しかも、再出力することができない。【解決手段】ファクシミリ着信したときには、ファクシミリ受信した受信内容を印刷出力する前のＦＡＸ出力前維持回復動作としてインク予備吐出又は空吐出、ワイピング、吸引等の全ての動作を行う設定になっているか判別し、ＦＡＸ出力前維持回復動作を全て行う設定になっていれば、そのまま、特定の記録ヘッド３４に対してＦＡＸ出力前維持回復動作を行う設定になっているか否かを判別し、判別結果に応じた記録ヘッド３４に対して、常に、ＦＡＸ出力前維持回復動作を行った後、ファクシミリ受信した受信内容を印刷出力する。【選択図】図４
2009038455.tif 000002
【特許請求の範囲】
【請求項１】
ファクシミリ受信機能を有し、ノズルから液滴を吐出する記録ヘッドと、この記録ヘッドの性能を維持回復する維持回復機構とを備えた画像形成装置において、
前記ファクシミリ受信した受信内容を印刷出力するときには、常に、前記記録ヘッドに対して維持回復動作を行う
ことを特徴とする画像形成装置。
【請求項２】
請求項１に記載の画像形成装置において、前記受信内容の印刷出力で用いる記録ヘッド又はノズルの列に対してのみ前記維持回復動作を行うことを特徴とする
【請求項３】
請求項１又は２に記載の画像形成装置において、前記維持回復動作の内容を指定する手段を備えていることを特徴とする画像形成装置。
【請求項４】
請求項１ないし３のいずれかに記載の画像形成装置において、前記ファクシミリ受信した受信内容の印刷出力に使用した記録ヘッドに関する情報を記憶する手段を備えていることを特徴とする画像形成装置。
【請求項５】
請求項５に記載の画像形成装置において、前記記憶した情報の出力を指定する手段を備えていることを特徴とする画像形成装置。
【発明の詳細な説明】
【技術分野】
【０００１】
本発明は画像形成装置に関し、特に液滴を吐出する記録ヘッドを備えるファクシミリ受信機能を有する画像形成装置に関する。
【背景技術】
【０００２】
プリンタ、ファクシミリ、複写装置、これらの複合機等の画像形成装置として、例えば、記録液（液体）の液滴を吐出する液体吐出ヘッド（液滴吐出ヘッド）で構成した記録ヘッドを用いて、媒体（以下「用紙」ともいうが材質を限定するものではなく、また、被記録媒体、記録媒体、転写材、記録紙なども同義で使用する。）を搬送しながら、インクを用紙に付着させて画像形成（記録、印刷、印写、印字も同義語で用いる。）を行なうものがある。
【０００３】
なお、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与することをも意味し、捺染装置や金属配線を形成する装置なども含みものである。また、「インク」とは狭義のインクだけでなく、上述した意味での画像形成に用いる液体であれば特に限定されるものではない。
【０００４】
このような液体吐出方式の画像形成装置においては、記録ヘッドに含まれる液滴を吐出するノズルが目詰まり等を生じて正常な液滴吐出が行えなくなった場合、画像品質が低下することから、一般にノズルの状態を維持回復する維持回復機構を備え、一般的には印字動作中以外の時に維持回復動作(インク予備吐出又は空吐出、ワイピング、吸引等)を行うようにしている。
【０００５】
例えば、特許文献１には、記録ヘッドのノズル面をキャッピングするキャップ部材によって記録ヘッドがキャッピングされていない累積時間と吐出後のキャッピング時間に基づいて維持回復動作を行うことが記載されている。
【特許文献１】特開２００６−１５９７１７号公報
【発明の開示】
【発明が解決しようとする課題】
【０００６】
ところで、画像形成装置としてファクシミリ受信機能を備えてファクシミリ受信した受信内容を印刷出力するものがあるが、このような画像形成装置にあっては、ファクシミリ受信時は一般的に印刷出力後に記憶手段から受信データを消去してしまうことが多く、プリンタ出力やコピー出力のように再出力することができないという特殊性がある。この場合、ファクシミリ受信データを印刷出力後も記憶手段に記憶しておくことも考えられるが、このような構成にするには大容量のメモリが必要となり、コストも高くなるという不具合がある。
【０００７】
そのため、ファクシミリ受信データ（受信内容）を印刷出力するときに記録ヘッドの状態が正常でなければ、不良な出力が行われ、しかも、再出力することができないという課題が生じる。
【０００８】
本発明は上記の課題に鑑みてなされたものであり、コストを増加することなく、ファクシミリ受信内容を確実に正常出力できるようにすることを目的とする。
【課題を解決するための手段】
【０００９】
上記の課題を解決するため、ファクシミリ受信機能を有し、ノズルから液滴を吐出する記録ヘッドと、この記録ヘッドの性能を維持回復する維持回復機構とを備えた画像形成装置において、ファクシミリ受信した受信内容を印刷出力するときには、常に、記録ヘッドに対して維持回復動作を行う構成とした。
【００１０】
ここで、受信内容の印刷出力で用いる記録ヘッド又はノズルの列に対してのみ維持回復動作を行う構成とできる。また、維持回復動作の内容を指定する手段を備えている構成とできる。また、ファクシミリ受信した受信内容の印刷出力に使用した記録ヘッドに関する情報を記憶する手段を備えている構成とでき、この場合、記憶した情報の出力を指定する手段を備えている構成とできる。
【発明の効果】
【００１１】
本発明に係る画像形成装置によれば、ファクシミリ受信した受信内容を印刷出力するときには、常に、記録ヘッドに対して維持回復動作を行う構成としたので、常に良好な記録ヘッドの状態でファクシミリ受信内容の印刷出力を行うことができ、コストを増加することなく、ファクシミリ受信内容を確実に正常出力できるようになる。
【発明を実施するための最良の形態】
【００１２】
以下、本発明の実施の形態について添付図面を参照して説明する。本発明に係る画像形成装置の一例の概要について図１及び図２を参照して説明する。なお、図１は同画像形成装置の全体構成を示す概略構成図、図２は同装置の画像形成部及び副走査搬送部の平面説明図である。
【００１３】
この画像形成装置は、プリンタ／コピー／ファクシミリの各機能を有する複合機であり、装置本体１の内部（筺体内）に、画像を形成するための画像形成部（手段）２、副走査搬送部（手段）３等を有し、装置本体１の底部に設けた収容手段である給紙部（手段）４から被搬送部材である被記録媒体（以下「用紙」というが、材質を紙に限定するものではない。）５を１枚ずつ分離して給紙し、副走査搬送部３によって用紙５を画像形成部２に対向する位置で間歇的に搬送しながら、画像形成部２によって用紙５に液滴を吐出して所要の画像を形成（記録）した後、排紙搬送部６を通じて装置本体１の上面に形成した排紙トレイ７上に用紙５を排紙する。なお、画像形成部２及び副走査搬送部３はユニット化してエンジンユニット１００とし、装置本体１に対して着脱自在に装着している。
【００１４】
また、この画像形成装置は、画像形成部２で形成する画像データ（印刷データ）の入力系として、装置本体１の上部で排紙トレイ７の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。なお、コンタクトガラス１２上には原稿を押えるための圧板１０を備えている。
【００１５】
ここで、この画像形成装置の画像形成部２は、図２にも示すように、前側板１０１Ｆと後側板１０１Ｒとの間に横架したキャリッジガイド（ガイドロッド）２１と後ステー１０１Ｂに設けた図示しないガイドステーで、キャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００１６】
そして、このキャリッジ２３上には、それぞれブラック（Ｋ）インク、シアン（Ｃ）インク、マゼンタ（Ｍ）インク、イエロー（Ｙ）インクを吐出するそれぞれ液体吐出ヘッドからなる記録ヘッド２４ｋ、２４ｃ、２４ｍ、２４ｙ（色を区別しないとき及び総称するときは「記録ヘッド２４」という。以下、他の部材の符号の表記も同様の扱いとする。）の計４個の液滴吐出ヘッドを搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００１７】
また、キャリッジ２３には各記録ヘッド２４に所要の色の記録液を供給するためにヘッド２５ｋ、２５ｃ、２５ｍ、２５ｙを搭載している。一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のヘッドタンク２５に図示しないチューブを介してインク（記録液）を補充供給する。
【００１８】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。記録ヘッドとしては、各色又は２以上の色の液体を吐出する複数のノズル列を形成した１又は複数の液体吐出ヘッドで構成することもでき、この場合には本発明でいう液体吐出ヘッドとは１色の液滴を吐出する１つのノズル列に対応する部分を意味する。
【００１９】
また、キャリッジ２３の主走査方向に沿って前側板１０１Ｆと後側板１０１Ｒとの間に、スリットを形成したリニアスケール１２８を張装し、キャリッジ２３にはリニアスケール１２８のスリットを検知する透過型フォトセンサからなるエンコーダセンサ１２９を設け、これらのリニアスケール１２８とエンコーダセンサ１２９によってキャリッジ２３の移動を検知するリニアエンコーダを構成している。
【００２０】
さらに、キャリッジ２３の走査方向一方側の非印字領域には、図２に示すように、記録ヘッド２４のノズルの状態を維持し、回復するための維持回復機構（装置）１２１を配置している。この維持回復機構１２１は、５個の記録ヘッド２４の各ノズル面２４ａをキャッピングするキャップ部材である、１個の保湿用を兼ねた吸引用キャップ１２２ａと、４個の保湿用キャップ１２２ｂ〜１２２ｄと、記録ヘッド２４のノズル面をワイピングするためのワイピング部材であるワイパーブレード１２４と、空吐出を行うための空吐出受け１２５とが配置されている。
【００２１】
さらに、キャリッジ２３の走査方向の他方側の非印字領域には、空吐出を行うための空吐出受け１２６を配置している。この空吐出受け１２６には開口１２７ａ〜１２７ｄを形成している。
【００２２】
副走査搬送部３は、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために交番電圧であるＡＣバイアス電圧が印加される帯電手段である帯電ローラ３４と、搬送ベルト３１を画像形成部２の対向する領域でガイドするガイド部材３５と、用紙５を搬送ローラ３２に対向する位置で搬送ベルト３１に押し付ける押さえコロ（加圧コロ）３６と、画像形成部２によって画像が形成された用紙５を搬送ベルト３１から分離するための分離爪３７と、分離された用紙５を排紙搬送部６に送り出すための搬送ローラ３８を備えている。
【００２３】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。
【００２４】
給紙部４は、装置本体１に抜き差し可能で、多数枚の用紙５を積載して収納する収容手段である給紙カセット４１と、給紙カセット４１内の用紙５を１枚ずつ分離して送り出すための給紙コロ４２及びフリクションパッド４３と、給紙される用紙５を副走査搬送部３に対して搬送するレジストローラ対４４とを有している。給紙コロ４２は図示しない給紙クラッチを介してＨＢ型ステッピングモータからなる給紙モータ（駆動源）４５によって回転され、またレジストローラ対４４も給紙モータ４５によって回転駆動される。
【００２５】
排紙搬送部６は、画像形成が行われた用紙５を搬送する排紙搬送ローラ対６１、６２と、用紙５を排紙トレイ７へ送り出すための排紙搬送ローラ対６３及び排紙ローラ６４とを備えている。
【００２６】
次に、この画像形成装置の制御部の概要について図３に示すブロック説明図を参照して説明する。
この制御部は、この画像形成装置全体の制御を司る、ＣＰＵ３０１Ａ、ＲＯＭ３０１Ｂ、ＲＡＭ３０１Ｃ、ＶＲＡＭ３０１Ｄ、Ｉ／Ｏ３０１Ｅなどを含むマイクロコンピュータで構成した主制御部３０１及び印刷制御を司るマイクロコンピュータで構成した印刷制御部３０２とを備えている。
【００２７】
そして、主制御部３０１は、通信回路３０３から入力される印刷処理の情報に基づいて用紙５に画像を形成するために、主走査モータ２７や副走査モータ１３１を主走査モータ駆動回路３１１及び副走査モータ駆動回路３１２を介して駆動制御するとともに、印刷制御部３０２に対して印刷用データを送出するなどの制御を行う。
【００２８】
また、主制御部３０１には、キャリッジ２３の位置を検出するキャリッジ位置検出回路３１３からの検出信号が入力され、主制御部３０１はこの検出信号に基づいてキャリッジ２３の移動位置及び移動速度を制御する。キャリッジ位置検出回路３１３は、キャリッジ２３の走査方向に配置されたリニアスケール（エンコーダシート）１２８のスリット数を、キャリッジ２３に搭載されたフォトセンサ（エンコーダセンサ）１２９で読み取って計数することで、キャリッジ２３の位置を検出する。主走査モータ駆動回路３１１は、主制御部３０１から入力されるキャリッジ移動量に応じた出力値、例えばＰＷＭ制御を行う場合にはＰＷＭ出力値に応じて主走査モータ２７を回転駆動させて、キャリッジ２３を所定位置に所定の速度で移動させる。
【００２９】
また、主制御部３０１には搬送ベルト３１の移動量を検出する搬送量検出回路３１４からの検出信号が入力され、主制御部３０１はこの検出信号に基づいて搬送ベルト３１の移動量及び移動速度を制御する。搬送量検出回路３１４は、搬送ローラ３２の回転軸に取り付けられたエンコーダホイールのスリット数を、フォトセンサ（エンコーダセンサ）で読み取って計数することで搬送量を検出する。副走査モータ駆動回路３１２は、主制御部３０１から入力される搬送量に応じて副走査モータ１３１を回転駆動させて、搬送ローラ３２を回転駆動して搬送ベルト３１を所定位置に所定の速度で移動させる。
【００３０】
また、主制御部３０１は、ＡＣバイアス供給部３１５を介して帯電ローラ３４に対してＡＣバイアスを与えることで搬送ベルト３１を帯電する制御を行う。主制御部３０１は、給紙モータ駆動回路３１６を介して給紙モータ４５を回転駆動する。主制御部３０１は、維持回復機構駆動用モータ駆動回路３１７を介して維持回復機構１２１の図示しないモータを回転駆動することにより、キャップ１２２の昇降、ワイパーブレード１２４の昇降、図示しない吸引ポンプの駆動などを行わせる。
【００３１】
また、主制御部３０１は、スキャナ制御部３１８を介して画像読取装置１１を制御する。主制御部３０１は、操作パネル３１９との間で所要の表示情報の送出や入力されるキー情報の取り込みなどを行う。
【００３２】
また、主制御部３０１は、電話回線とのＩ／Ｆ制御を行う網制御装置３２４を介して、この網制御装置３２４を含めファクシミリ通信制御を行う通信制御部３２３でファクシミリ受信した受信内容を印刷出力する制御を行う。
【００３３】
印刷制御部３０２は、主制御部３０１からの信号とキャリッジ位置検出回路３１３及び搬送量検出回路３１４などからのキャリッジ位置や搬送量に基づいて、記録ヘッド２４の液滴を吐出させるための圧力発生手段を駆動するためのデータを生成して、上述した画像データをシリアルデータでヘッド駆動回路３２１に転送するとともに、この画像データの転送及び転送の確定などに必要な転送クロックやラッチ信号、滴制御信号（マスク信号）などをヘッド駆動回路３２１に出力する以外にも、ＲＯＭに格納されている駆動信号のパターンデータをＤ／Ａ変換するＤ／Ａ変換器及び電圧増幅器、電流増幅器等で構成される駆動波形生成部及びヘッドドライバに与える駆動波形選択手段を含み、１の駆動パルス（駆動信号）或いは複数の駆動パルス（駆動信号）で構成される駆動波形を生成してヘッド駆動回路３２１に対して出力する。
【００３４】
ヘッド駆動回路３２１は、シリアルに入力される記録ヘッド２４の１行分に相当する画像データに基づいて印刷制御部３０２から与えられる駆動波形を構成する駆動信号を選択的に記録ヘッド７の液滴を吐出させるエネルギーを発生する駆動素子（例えば前述したような圧電素子）に対して印加することで記録ヘッド２４を駆動する。このとき、駆動波形を構成する駆動パルスを選択することによって、例えば、大滴（大ドット）、中滴（中ドット）、小滴（小ドット）など、大きさの異なるドットを打ち分けることができる。
【００３５】
このように構成したこの画像形成装置においては、搬送ベルト３１を駆動する搬送ローラ３２の回転量を検出して、この検出した回転量に応じて副走査モータ１３１を駆動制御するとともに、ＡＣバイアス供給部３１５から帯電ローラ３４に交番電圧である正負極の矩形波の高電圧を印加し、これによって、搬送ベルト３１には正と負の電荷が搬送ベルト３１の搬送方向に対して交互に帯状に印加され、搬送ベルト３１上に所定の帯電幅で帯電が行われて不平等電界が生成される。
【００３６】
そこで、用紙５が給紙部４から給紙されて、搬送ローラ３２と押えコロ３６との間に送り込まれて、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００３７】
そして、この搬送ベルト３１で用紙５を間歇的に搬送しながら、用紙５上に記録ヘッド２４から記録液の液滴を吐出して画像を記録（印刷）し、印刷が行われる用紙５の先端側を分離爪３７で搬送ベルト３１から分離して搬送ローラ３８で排紙搬送部６に送り出す。
【００３８】
また、印字（記録）待機中にはキャリッジ２３は維持回復機構１２１側に移動されて、キャップ１２２で記録ヘッド２４のノズル面がキャッピングされて、ノズルを湿潤状態に保つことによりインク乾燥による吐出不良を防止する。また、吸引及び保湿用キャップ１２２ａで記録ヘッド２４をキャッピングした状態でノズルから記録液を吸引し（「ノズル吸引」又は「ヘッド吸引」という。）し、増粘した記録液や気泡を排出する回復動作を行い、この回復動作によって記録ヘッド２４のノズル面に付着したインクを清掃除去するためにワイパーブレード１２４でワイピングを行なう。また、記録開始前、記録途中などに記録と関係しないインクを空吐出受け１２５に向けて吐出する空吐出動作を行う。これによって、記録ヘッド２４の安定した吐出性能を維持する。
【００３９】
次に、この画像形成装置におけるファクシミリ受信と維持回復動作の制御について図４ないし図６に示すフロー図を参照して説明する。
先ず、図４を参照して、この画像形成装置は、ファクシミリ着信したときには、ファクシミリ受信した受信内容を印刷出力する前（これを「ＦＡＸ出力前」又は「印字前」という。）の維持回復動作としてインク予備吐出又は空吐出、ワイピング、吸引等の全ての動作を行う設定になっているか判別する。
【００４０】
このとき、ＦＡＸ出力前維持回復動作を全て行う設定になっていれば、そのまま、特定（例えば使用する色）の記録ヘッド３４に対してＦＡＸ出力前維持回復動作を行う設定になっているか否かの判別処理に移行する。
【００４１】
これに対し、ＦＡＸ出力前維持回復動作を全て行う設定になっていなければ、図５に示す処理に移行して、ワイピングのみを行う設定、空吐出のみを行う設定、吸引のみを行う設定、これらのいずれでもなければ図６に示す処理に移行して、ワイピングと空吐出を行う設定、ワイピングと吸引を行う設定、空吐出と吸引を行う設定であるか否かを順次判別し、それぞれ判別対象となる設定であれば、ＦＡＸ出力前維持回復動作の内容をワイピングのみを行う設定に、空吐出のみを行う設定、吸引のみを行う設定、ワイピングと空吐出を行う設定、ワイピングと吸引を行う設定、空吐出と吸引を行う設定に、それぞれ設定した後、特定（例えば使用する色）の記録ヘッド３４に対してＦＡＸ出力前維持回復動作を行う設定になっているか否かの判別処理に移行する。
【００４２】
そして、図４に戻って、特定（例えば使用する色）の記録ヘッド３４に対してＦＡＸ出力前維持回復動作を行う設定になっているか否かの判別処理において、特定の記録ヘッド３４に対してＦＡＸ出力前維持回復動作を行う設定になっていれば、所要の動作内容のＦＡＸ出力前維持回復動作を印字に使用する（特定の色）の記録ヘッド３４に対してのみ行い、特定の記録ヘッド３４に対してＦＡＸ出力前維持回復動作を行う設定になっていなければ、所要の動作内容のＦＡＸ出力前維持回復動作を全ての記録ヘッド３４に対して行う。
【００４３】
その後、ファクシミリ受信した受信内容を印刷出力する動作を行う。
【００４４】
例えば、ＦＡＸ出力前維持回復動作がワイピングと空吐出のみ行なう設定になっており、かつマゼンダとイエローの記録ヘッド３４に対してのみＦＡＸ出力前維持回復動作を行なう設定になっている場合は、その設定どおり維持回復動作を行なった後、ファクシミリ受信した受信内容（ＦＡＸ受信画像）を印刷出力する。
【００４５】
このように、ファクシミリ受信した受信内容を印刷出力するときには、常に、記録ヘッドに対して維持回復動作を行うことで、常に良好な記録ヘッドの状態でファクシミリ受信内容の印刷出力を行うことができ、コストを増加することなく、ファクシミリ受信内容を確実に正常出力できるようになる。
【００４６】
つまり、プリンタやコピーとして使用する場合は、早く出力する（待ち時間が短い）ことが要求され、仮に出力結果が不完全でも同一内容を再出力することができる。これに対し、ファクシミリ受信した受信内容は一旦出力されると出力結果が不完全でも消去されるのが一般的で、再出力を行うことができない。そこで、ＦＡＸ出力前に必ず記録ヘッドの維持回復動作を行って印刷出力の確実性を高めることによってメモリなどを使用することなく、正常出力を確保することができるようにしている。特に、ノズル数が多くなるライン型ヘッドを用いたライン型画像形成装置の場合には、ノズルの目詰まりがシリアル型画像形成装置よりも発生しやすくなり、ＦＡＸ出力前に維持回復動作を行って記録ヘッドの状態を良好にして印刷出力をすることが好ましい。
【００４７】
次に、ＦＡＸ出力前維持回復動作の動作内容を設定するＦＡＸ出力前維持回復動作設定モードについて図７に示すフロー図を参照して説明する。
ここでは、ＦＡＸ出力前維持回復動作設定モードに入る（この指示は操作パネル３１９の所要のキーを使用して行う。）か否かを判別して、ＦＡＸ出力前維持回復動作設定モードに入るときにはＦＡＸ出力前維持回復動作設定モードを開始し、ワイピングを行うか、空吐出を行うか、吸引を行うか、のそれぞれの判別を行って、判別結果に従ってＦＡＸ出力前維持回復動作にワイピング動作、空吐出動作、吸引動作を入れ、設定モード終了になるまで処理を繰り返し、設定モード終了が指定されたときにはＦＡＸ出力前維持回復動作設定モードを終了する。なお、設定された印字前維持回復動作の動作内容は、例えば主制御部３０１の記録手段としての書き換え可能な不揮発性メモリ（例えばＶＲＡＭ）３０１Ｄに記憶される。
【００４８】
このように、ファクシミリ受信の受信内容を印刷出力するときに必ず行う維持回復動作の動作内容を特定の動作に限れるようにすることで、ファクシミリ受信後印刷出力までの時間を短縮することができる。なお、維持回復動作の動作内容は、全ての動作内容の内の予め定めた特定の動作内容で固定とする構成とすることもできる。
【００４９】
次に、ＦＡＸ出力前維持回復動作を行う記録ヘッドを設定するＦＡＸ出力前維持回復動作実施ヘッド設定モードについて図８を参照して説明する。
ここでは、ＦＡＸ出力前維持回復動作実施ヘッド設定モードに入る（この指示は操作パネル３１９の所要のキーを使用して行う。）か否かを判別して、ＦＡＸ出力前維持回復動作実施ヘッド設定モードに入るときにはＦＡＸ出力前維持回復動作実施ヘッド設定モードを開始し、使用する記録ヘッド（特定の記録ヘッド）に対してのみ維持回復動作を実施する設定か否かを判別する。
【００５０】
そして、使用する記録ヘッド（特定の記録ヘッド）に対してのみ維持回復動作を実施する設定が指定されたときには、使用する記録ヘッド（特定の記録ヘッド）に対してのみ維持回復動作を行う設定にし、使用する記録ヘッド（特定の記録ヘッド）に対してのみ維持回復動作を実施する設定が指定されないときには、全ての記録ヘッドに対して維持回復動作を実施する設定にする。なお、設定された印字前維持回復動作を実施する記録ヘッドは、例えば主制御部３０１の記憶手段としての書き換え可能な不揮発性メモリ（例えばＶＲＡＭ）３０１Ｄに記憶される。
【００５１】
このように、使用する記録ヘッド（特定の色の記録ヘッド）に対してのみ維持回復動作を実施するようにすれば、ファクシミリ受信後印刷出力までの時間を短縮することができる。この場合、全ての記録ヘッドに対して維持回復動作を行うモードはなくてもよい。また、異なる色の液滴を吐出するノズル列（ノズルを並べて配置したもの）を同一の記録ヘッドに対して有している場合には、特定の記録ヘッドは特定のノズル列として、同様に適用することができる。
【００５２】
次に、受信管理処理について図９に示すフロー図を参照して説明する。
ファクシミリ受信を行った場合、受信管理記録として受信時刻、受信相手、通信エラー等の情報を記憶し、更に、実施した印字前維持回復動作の内容と印字色（或いは印字に使用した記録ヘッド）を記憶する（これらを受信管理情報という）。そして、出力要求があるか否かを判別して、出力要求があれば、記憶している受信管理情報を操作パネル３１９の表示部に表示出力し、あるいは、用紙にプリント出力する。
【００５３】
次に、管理レボート出力処理について図１０に示すフロー図を参照して説明する。
ファクシミリ通信の送受信における受信時刻・通信相手先・通信エラー有無等の情報を定期的又は不定期に出力する通信管理レポートの出力要求がなされたとき、受信時刻・通信相手先・通信エラー有無等の情報に併せて、記憶している印字前維持回復動作と印字色(或いは印字記録ヘッド)の内容を記載した管理レポートを印刷出力する。
【００５４】
このように、実施した印字前維持回復動作の内容と印字色（或いは印字に使用した記録ヘッド）を記憶することで、維持回復動作モードと印字出力された画像の情報の確認を、ファクシミリ受信出力後に操作表示部や用紙へのプリント出力等にて行うことができて、オペレータが現在設定されている維持回復動作モードが適正であるか否かを容易に判断できるようになる。
【００５５】
また、通信管理レポートに、実施した印字前維持回復動作の内容と印字色（或いは印字に使用した記録ヘッド）を載せることで、維持回復動作モードと印字出力された画像通信情報を他の情報と併せた時系列での一覧が可能となるため、管理者が現在設定されている維持回復動作モードが適正であるか否かを容易に判断できるようになる。
【図面の簡単な説明】
【００５６】
【図１】本発明に係る画像形成装置の全体構成を示す概略構成図である。
【図２】同装置の画像形成部及び副走査搬送部の平面説明図である。
【図３】同じく制御部の概要を説明するブロック図である。
【図４】ファクシミリ受信時の維持回復動作の説明に供するフロー図である。
【図５】同じくファクシミリ受信時の維持回復動作の説明に供するフロー図である。
【図６】同じくファクシミリ受信時の維持回復動作の説明に供するフロー図である。
【図７】維持回復動作設定モードの説明に供するフロー図である。
【図８】維持回復動作対象ヘッド設定モードの説明に供するフロー図である。
【図９】受信管理処理の一例を示すフロー図である。
【図１０】管理レポート出力処理の一例を示すフロー図である。
【符号の説明】
【００５７】
１…装置本体
２…画像形成部
３…副走査搬送部
４…給紙部
５…用紙（被記録媒体）
６…排紙搬送部
８…排紙トレイ
１１…画像読取部
２３…キャリッジ
２４…記録ヘッド
３１…搬送ベルト
１２１…維持回復機構
３２３…通信制御部
３２４…網制御装置
【図１】
2009038455.tif 000003
【図２】
2009038455.tif 000004
【図３】
2009038455.tif 000005
【図４】
2009038455.tif 000006
【図５】
2009038455.tif 000007
【図６】
2009038455.tif 000008
【図７】
2009038455.tif 000009
【図８】
2009038455.tif 000010
【図９】
2009038455.tif 000011
【図１０】
2009038455.tif 000012